(57)【要約】【課題】蛇腹部の一部が径方向に大きく変形しても蛇腹部の他の部分にまで変形が伝達されず、設計の自由度が高く、相手材の動きに干渉しないラックブーツを提供すること。【解決手段】相手側大径部材と相手側小径部材との間に介装されたボールジョイントを覆うとともに、第１筒部が相手側大径部材に固定され、第２筒部が該相手側小径部材に固定され、蛇腹部の内周面がボールジョイントと離間して配置されるラックブーツに、山部の一つからなり頂部が平坦に形成され隆起高さが山部よりも小さい分断山部と、谷部の一つからなり頂部が平坦に形成され陥没高さが谷部よりも小さい分断谷部と、の少なくとも一方を設ける。【選択図】図１
2006281812.tif 000002
【特許請求の範囲】
【請求項１】
外周方向に隆起する複数の山部と内周方向に陥没する複数の谷部とをもち該山部と該谷部とが交互に連続して形成され互いに隣接する該山部と該谷部とが連絡壁部で接続されてなる中空状の蛇腹部と、該蛇腹部の一端側に形成されている第１筒部と、該蛇腹部の他端側に形成されている第２筒部とを備え、相手側大径部材と相手側小径部材との間に介装されたボールジョイントを覆うとともに、該第１筒部が該相手側大径部材に固定され、該第２筒部が該相手側小径部材に固定され、該蛇腹部の内周面が該ボールジョイントと離間して配置されるラックブーツであって、
前記山部の一つからなり頂部が平坦に形成され隆起高さがその他の前記山部よりも小さい分断山部と、前記谷部の一つからなり頂部が平坦に形成され陥没高さがその他の前記谷部よりも小さい分断谷部と、の少なくとも一方をもつことを特徴とするラックブーツ。
【請求項２】
前記分断山部は頂部の肉厚が前記連絡壁部の肉厚よりも大きい請求項１記載のラックブーツ。
【請求項３】
前記分断谷部は頂部の肉厚が前記連絡壁部の肉厚よりも大きい請求項１記載のラックブーツ。
【請求項４】
前記蛇腹部は、前記第１筒部に連なる一般蛇腹部と、該一般蛇腹部と前記第２筒部とに連なり前記山部の外周径と前記谷部の内周径とが前記第２筒部に向けて徐々に小さくなるテーパ蛇腹部とを持つ請求項１記載のラックブーツ。
【請求項５】
前記分断山部または前記分断谷部は前記一般蛇腹部に形成されている請求項４記載のラックブーツ。
【発明の詳細な説明】
【技術分野】
【０００１】
本発明は、ラックピニオン式ステアリングのステアリング装置に取り付けられるラックブーツに関する。
【背景技術】
【０００２】
ラックブーツは、自動車のステアリングギアボックスとタイロッドとの間のボールジョイントを覆う樹脂製の部材である。ラックブーツは、ステアリングラックブーツあるいはステアリングブーツとも呼ばれている。一般的なラックブーツを模式的に表す軸方向断面図を図１０に示し、一般的なラックブーツの形状を以下に説明する。
【０００３】
ラックブーツは、第１筒部１００と、第２筒部２００と、蛇腹部３００とからなる。第１筒部１００および第２筒部２００は、各々筒状に形成されている。蛇腹部３００は、複数の山部３０１と複数の谷部３０２とをもつ。山部３０１は外周方向に隆起する。谷部３０２は内周方向に陥没する。蛇腹部３００は、山部３０１と谷部３０２とが交互に連続し、互いに隣接する山部３０１と谷部３０２とが連絡壁部３０６で連結されてなる中空形状（所謂蛇腹状）に形成されている。蛇腹部３００の一端側には第１筒部１００が形成され、他端側には第２筒部２００が形成されている。第１筒部１００はステアリングギアボックス４００に取り付けられる。第２筒部２００はタイロッド４０１に取り付けられる。そして、蛇腹部３００はステアリングギアボックス４００から延びるラックバー４０２、タイロッド４０１、ラックバー４０２とタイロッド４０１とを連結するボールジョイント４０３等から構成されるステアリング部材を覆う。
【０００４】
このようなラックブーツでは、複数の山部３０１や複数の谷部３０２がほぼ同形状に形成されている。そして、山部３０１の頂部３０３および谷部３０２の頂部３０４は湾曲形状に形成されている。したがって、蛇腹部３００が軸方向に伸縮変形する場合には、湾曲形状の頂部３０３を持つ山部３０１や湾曲形状の頂部３０４をもつ谷部３０２は、開いたりすぼまったりして変形する。このような変形によって、湾曲形状の頂部３０３や頂部３０４をもつ蛇腹部３００は、軸方向に伸縮変形し易く、軸方向の剛性が低くなる。軸方向の剛性が低い蛇腹部３００は、径方向の変形も容易である。よって、このような蛇腹部３００を持つラックブーツは、内部の空気が膨張し内圧が高くなったときに蛇行変形し易い。
【０００５】
したがって、蛇腹部３００の径方向の変形の大きさによっては蛇腹部３００の変形させたくない部分までもが径方向に大きく変形する場合がある。
【０００６】
ラックブーツでは、蛇腹部３００が径方向に大きく変形すると、谷部３０２がステアリング部材に近接した位置に動いてステアリング部材に接触する。谷部３０２がステアリング部材に接触すると、蛇腹部３００にステアリング部材が噛み込む場合がある。また、谷部３０２がステアリング部材に接触すると、谷部３０２とステアリング部材とが摺接する場合がある。これらの場合には、ラックブーツが早く消耗する。蛇腹部３００が径方向に大きく変形すると、山部３０１がラックブーツ近傍に配置されている他の部材と接触する場合もある。この場合にも、蛇腹部３００に他の部材が噛み込んだり、山部３０１と他の部材とが摺接すると、ラックブーツが早く消耗する。このような噛み込みや消耗を回避するために、蛇腹部３００が径方向に大きく変形しないラックブーツが望まれていた。
【０００７】
この点に鑑み、特許文献１には、蛇腹部のうちボールジョイントの外側に配される部分をボールジョイントの外形に対応した形状に形成するとともにボールジョイントに当接させるラックブーツが紹介されている。このラックブーツでは、蛇腹部のうちボールジョイントの外側に配される部分であるスカート部がボールジョイントに当接しているため、スカート部は軸方向にも径方向にも変形しない。したがって、蛇腹部の軸方向および径方向の変形は、スカート部より第２筒部側の部分と、スカート部よりも第１筒部側の部分とに分断される。このため、例えばスカート部よりも第２筒部側の部分が軸方向や径方向に変形しても、この変形はスカート部で分断されて、スカート部よりも第１筒部側の部分に伝達されない。
【特許文献１】特開平７−２５９９９５号公報
【発明の開示】
【発明が解決しようとする課題】
【０００８】
特許文献１に紹介されているラックブーツでは、スカート部を境に蛇腹部の変形の伝達が分断される。しかし、スカート部をステアリング部材等の相手材に固定するために、ラックブーツの形状は相手材の形状に大きく支配される。よってラックブーツの設計の自由度が小さい問題もあった。また、スカート部のボールジョイントへの固定が緩いと、スカート部がボールジョイントから外れる場合がある。この場合には、ラックブーツに上述した噛み込みや摺接が発生し易くなる。
【０００９】
本発明は上記事情に鑑みて成されたものであり、蛇腹部が径方向に変形し難く、設計の自由度が高いラックブーツを提供することを目的とする。
【課題を解決するための手段】
【００１０】
上記課題を解決する本発明のラックブーツは、外周方向に隆起する複数の山部と内周方向に陥没する複数の谷部とをもち山部と谷部とが交互に連続して形成され互いに隣接する山部と谷部とが連絡壁部で接続されてなる中空状の蛇腹部と、蛇腹部の一端側に形成されている第１筒部と、蛇腹部の他端側に形成されている第２筒部とを備え、相手側大径部材と相手側小径部材との間に介装されたボールジョイントを覆うとともに、第１筒部が相手側大径部材に固定され、第２筒部が相手側小径部材に固定され、蛇腹部の内周面がボールジョイントと離間して配置されるラックブーツであって、上記山部の一つからなり頂部が平坦に形成され隆起高さがその他の上記山部よりも小さい分断山部と、上記谷部の一つからなり頂部が平坦に形成され陥没高さがその他の上記谷部よりも小さい分断谷部と、の少なくとも一方をもつことを特徴とする。
【００１１】
本発明のラックブーツにおいて、上記分断山部は頂部の肉厚が上記連絡壁部の肉厚よりも大きいことが好ましい。
【００１２】
本発明のラックブーツにおいて、上記分断谷部は頂部の肉厚が上記連絡壁部の肉厚よりも大きいことが好ましい。
【００１３】
本発明のラックブーツにおいて、上記蛇腹部は、上記第１筒部に連なる一般蛇腹部と、一般蛇腹部と上記第２筒部とに連なり上記山部の外周径と上記谷部の内周径とが上記第２筒部に向けて徐々に小さくなるテーパ蛇腹部とを持つことが好ましい。この場合、上記分断山部または上記分断谷部は上記一般蛇腹部に形成されていることが望ましい。
【発明の効果】
【００１４】
本発明のラックブーツは、蛇腹部が分断山部と分断谷部との少なくとも一方をもつ。分断山部および分断谷部は頂部が平坦に形成されている。
【００１５】
蛇腹部の変形は、軸方向の伸縮運動と径方向の揺動運動との組合わせからなる。山部の頂部や谷部の頂部が湾曲して形成されている場合には、連絡壁部、山部、谷部が協働して軸方向の伸縮運動と径方向の揺動運動とに寄与する。このため、ラックブーツが径方向に変形し易い。
【００１６】
本発明のラックブーツでは、分断山部や分断谷部の頂部が平坦に形成されている。頂部が平坦に形成されているために、分断山部や分断谷部は軸方向に変形し難くなっている。また、分断山部の隆起高さはその他の山部よりも小さく、分断谷部の陥没高さはその他の谷部よりも小さいため、分断山部や分断谷部に連なる連絡壁部は短丈になっている。このため、分断山部や分断谷部に連なる連絡壁部もまた変形し難くなっている。したがって、蛇腹部の伸縮運動および揺動運動の連続性は分断山部や分断谷部により分断される。よって。本発明のラックブーツは蛇腹部全体が径方向に大きく変形し難くなる。
【００１７】
分断山部の隆起高さはその他の山部（以下、一般山部と呼ぶ）よりも小さく、分断谷部の陥没高さがその他の谷部（以下、一般谷部と呼ぶ）よりも小さい。このため、分断山部または分断谷部に隣接する連絡壁部の長さは他の連絡壁部よりも短い。したがって、本発明のラックブーツは、分断山部または分断谷部を中心とする連絡壁部の揺動代（揺動半径）が小さい。よって、分断山部や分断谷部付近の蛇腹部は、軸方向に大きく変形し難い。このため、本発明のラックブーツでは、軸方向の大きな変形に由来する径方向の大きな変形が防止され、径方向の大きな変形がより確実に防止される。
【００１８】
本発明のラックブーツは、相手材に固定することなく、径方向の変形の伝達を分断するために、設計の自由度が大きくなる。
【００１９】
本発明のラックブーツにおいて、分断山部の肉厚を連絡壁部の肉厚よりも大きくした場合には、分断山部の強度が高くなり、連絡壁部が大きく揺動する際にも分断山部の形状が維持される。よって、分断山部付近の変形は抑制され、蛇腹変形の連続性が分断されるとともに、ラックブーツの径方向の大きな変形がより確実に抑制される。
【００２０】
本発明のラックブーツにおいて、分断谷部の肉厚を連絡壁部の肉厚よりも大きくした場合にも、分断山部の肉厚を連絡壁部の肉厚よりも大きくした場合と同様に、分断谷部の強度が高くなり、分断谷部付近の変形は抑制され、蛇腹変形の連続性が分断されるとともに、ラックブーツの径方向の大きな変形がより確実に抑制される。
【００２１】
本発明のラックブーツにおいて、蛇腹部が一般蛇腹部とテーパ蛇腹部とを持つ場合には、径方向の剛性が高いテーパ蛇腹部によっても、ラックブーツの径方向の大きな変形が抑制される。また、この場合、径方向の剛性が比較的小さい一般蛇腹部に分断山部または分断谷部を形成することで、ラックブーツの径方向の変形を効果的に抑制できる。
【発明を実施するための最良の形態】
【００２２】
以下、本発明のラックブーツを図面を基に説明する。
【実施例１】
【００２３】
実施例１のラックブーツは、二つの分断山部をもつ。また、実施例１のラックブーツでは、二つの分断山部の頂部の肉厚が連絡壁部と同程度になっている。実施例１のラックブーツを模式的に表す軸方向断面図を図１に示し、図１の要部拡大図を図２に示す。
【００２４】
実施例１のラックブーツは、蛇腹部１と第１筒部２と第２筒部３とを備えている。蛇腹部１、第１筒部２、および、第２筒部３は、ブロー成形により一体に形成されている。第１筒部２はリング状をなし、ステアリングギアボックス７０に取り付けられる。第２筒部３は第１筒部２よりも小径のリング状をなし、タイロッド７１に取り付けられる。
【００２５】
蛇腹部１は、第１筒部２と第２筒部３とを連絡する中空形状に形成されている。蛇腹部１は、外周方向に隆起する複数の山部４と、内周方向に陥没する複数の谷部５とをもつ。山部４と谷部５とは、山部４、谷部５、山部４、谷部５・・・というように交互に連続して配置されている。互いに隣接する山部４と谷部５とは連絡壁部６で接続されている。蛇腹部１のうち第２筒部３側の部分は、山部４の外周径と谷部５の内周径とが第２筒部３に向けて徐々に小さくなるテーパ形状に形成され、テーパ蛇腹部１５を構成している。蛇腹部１のうち第１筒部２とテーパ蛇腹部１５とを連絡する部分が一般蛇腹部１６となる。テーパ蛇腹部１５と一般蛇腹部１６とのうちボールジョイント７２に対面する部分は、谷部５の内周径がボールジョイント７２の外周径よりも僅かに大きく形成されている。すなわち、蛇腹部１のうち、ボールジョイント７２に対面する部分はボールジョイント７２に径方向で近接している。
【００２６】
分断山部４０は、山部４の一つからなり、頂部である分断頂部４１が平坦に形成されている。分断山部４０の隆起高さは一般山部４２よりも小さい。すなわち、谷部５の頂部である谷頂部５１の内周面と分断頂部４１の内周面との径方向の距離（分断山部４０の隆起高さａ）は、一般山部４２の頂部である一般山頂部４３の内周面と谷頂部５１の内周面との径方向の距離（一般山部４２の隆起高さｂ）よりも小さい。実施例１のラックブーツにおいて、分断山部４０の隆起高さａは、一般山部４２の隆起高さｂの１／２である。一般蛇腹部１６のうちボールジョイント７２とラックバー７３との境界部分に対面する部分を境界対面部１７とする。実施例１のラックブーツにおいて、分断山部４０は、一般蛇腹部１６のうち、第１筒部２との境界部分と境界対面部１７との略中央部分に形成されている。
【００２７】
分断頂部４１は、軸方向に平坦に形成されている。一般山頂部４３および谷頂部５１は軸方向に湾曲した形状に形成されている。山部４および谷部５は、それぞれ周方向に連続している。分断頂部４１は、内周径および外周径が軸方向に一定なリング状を呈している。
【００２８】
連絡壁部６は、分断山部４０と谷部５とを連絡する分断連絡壁部６０と、一般山部４２と谷部５とを連絡する一般連絡壁部６１とからなる。実施例１のラックブーツでは、分断連絡壁部６０の径方向および軸方向の長さは、一般連絡壁部６１の径方向および軸方向の長さよりも短い。
【００２９】
実施例１のラックブーツでは、一般蛇腹部１６に分断山部４０が形成されている。分断山部４０は分断頂部４１が平坦に形成されているために、軸方向に変形し難くなっている。また、分断連絡壁部６０は短丈であり、変形し難くなっている。したがって、一般蛇腹部１６の軸方向への伸縮運動の連続性と、一般蛇腹部１６の径方向への揺動運動の連続性とは、分断山部４０により分断される。よって、本実施例のラックブーツは蛇腹部１全体が径方向に大きく変形し難い。また、テーパ蛇腹部１５は小径であるために径方向の剛性が高い。このため、テーパ蛇腹部１５もまた径方向に大きく変形し難い。さらに、一般蛇腹部１６のうちボールジョイント７２に対面する部分と、テーパ蛇腹部１５のうちボールジョイント７２に対面する部分とは、ボールジョイント７２に径方向で近接している。このため、一般蛇腹部１６およびテーパ蛇腹部１５は、径方向変形開始後まもなくボールジョイント７２に当接する。よって、一般蛇腹部１６およびテーパ蛇腹部１５の径方向の変形は、ボールジョイント７２によっても規制される。
【００３０】
なお、テーパ蛇腹部１５と、テーパ蛇腹部１５から分断山部４０までの一般蛇腹部１６と、分断山部４０から第２筒部までの一般蛇腹部１６とは、各々独立して径方向および軸方向に変形でき、蛇腹機能を発揮する。
【００３１】
実施例１のラックブーツでは、径方向に比較的変形し易い一般蛇腹部１６に分断山部４０を形成しているため、蛇腹部１の径方向の変形を効果的に抑制している。
【００３２】
実施例１のラックブーツでは、蛇腹部１を相手材であるステアリング部材に固定することなく、径方向の大きな変形を抑制できる。よって、実施例１のラックブーツは設計の自由度が高くなる。
【００３３】
実施例１のラックブーツは、分断山部４０をもつものであるが、分断山部４０の代わりに分断谷部を設ける場合にも、同様の効果が発揮される。また、分断山部４０と分断谷部とをともに設けても同様の効果が発揮される。
【実施例２】
【００３４】
実施例２のラックブーツは、二つの分断山部をもつこと、蛇腹部のうちボールジョイントに対面する部分がボールジョイントに径方向で離間していること、および、分断山部の配置位置以外は実施例１と同じものである。実施例２のラックブーツを模式的に表す軸方向断面図を図３に示す。
【００３５】
実施例２のラックブーツにおいて、分断山部４０は実施例１と同じ形状である。分断山部４０の一つは、一般蛇腹部１６のうちボールジョイント７２と対面する部分に形成されている。分断山部４０の残りの一つは、一般蛇腹部１６のうち第１筒部２寄りの部分に形成されている。
【００３６】
実施例２のラックブーツでは、テーパ蛇腹部１５は小径に形成されているために径方向に変形し難い。
【００３７】
本実施例では、蛇腹部のうちボールジョイントに対面する部分がボールジョイントに径方向で離間している。このため、実施例１のようにボールジョイント７２により径方向の変形を規制する効果はない。しかし、一般蛇腹部１６のうちボールジョイント７２に対面する部分には、分断山部４０が形成されている。このため、一般蛇腹部１６のうちボールジョイント７２に対面する部分は分断山部４０の機能により径方向に変形し難くなっている。
【００３８】
さらに、一般蛇腹部１６の複数箇所に分断山部４０を形成していることで、一般蛇腹部１６のうち分断山部４０間に配される部分の長さが小さくなっている。このため、一般蛇腹部１６における軸方向への伸縮運動および径方向への揺動運動の連続性は、分断山部４０によって小さな範囲で分断される。したがって、実施例２のラックブーツでは、蛇腹部１の径方向の変形をさらに効果的に抑制している。
【００３９】
また、実施例２のラックブーツでは、蛇腹部１を相手材であるステアリング部材に固定することなく、径方向の大きな変形を抑制できる。よって、実施例２のラックブーツは設計の自由度が高くなる。
【実施例３】
【００４０】
実施例３のラックブーツは、分断頂部の肉厚が連絡壁部の肉厚よりも大きく形成されていること以外は実施例１と同じものである。実施例３のラックブーツを模式的に表す軸方向断面図を図４に示し、図４の要部拡大図を図５に示す。
【００４１】
実施例３のラックブーツでは、分断頂部４１の肉厚が連絡壁部６の肉厚よりも大きく形成されているために、分断山部４０の強度が高くなっている。このため、分断山部４０はさらに軸方向に変形し難くなっている。また、分断山部４０の強度が高いため、分断連絡壁部６０がさらに変形し難い。よって、実施例３のラックブーツでは、蛇腹部１の伸縮運動および揺動運動の連続性が分断山部で分断され、蛇腹部１全体が径方向に大きく変形し難い。
【実施例４】
【００４２】
実施例４のラックブーツは、分断山部にかえて分断谷部をもつこと以外は実施例１と同じものである。実施例４のラックブーツを軸方向に切断した様子を模式的に表す要部拡大図を図６に示す。
【００４３】
分断谷部５０は、谷部５の一つからなる。実施例４では谷頂部が分断頂部５１となっている。分断頂部５１は平坦に形成されている。分断谷部５０の陥没高さｃは一般谷部５２の陥没高さｄよりも小さい、実施例４のラックブーツにおいて、分断谷部５０の陥没高さは、一般谷部５２の陥没高さの１／２である。
【００４４】
実施例４のラックブーツでは、分断山部の代わりに分断谷部５０が設けられているが、分断頂部５１が平坦に形成されているために、実施例１のラックブーツと同様に軸方向に変形し難くなっている。また、分断連絡壁部６０は短丈であり、変形し難くなっている。したがって、一般蛇腹部の軸方向への伸縮運動の連続性と、一般蛇腹部の径方向への揺動運動の連続性とは、分断谷部５０により分断される。よって、本実施例のラックブーツもまた蛇腹部全体が径方向に大きく変形し難い。
【００４５】
（比較例１）
比較例１のラックブーツは、分断山部をもたないこと以外は実施例１と同じである。比較例１のラックブーツを軸方向に切断した様子を模式的に表す要部拡大図を図７に示す。
【００４６】
比較例１のラックブーツは、図１０に示した従来のラックブーツと同じである。すなわち、比較例１のラックブーツは、分断山部および分断谷部をもたず、山部４および谷部５の頂部はそれぞれ湾曲形状に形成されている。
【００４７】
（変形試験）
実施例３および比較例１のラックブーツについて、３山４谷（谷部−連結壁部−山部−連結壁部−谷部−連結壁部−山部−連結壁部−谷部−連結壁部−山部−連結壁部−谷部）を１単位として、径方向の変形性および軸方向の伸び性をＦＥＭ解析により算出した。
【００４８】
各ラックブーツに径方向の荷重を負荷した際に、１単位の各ラックブーツが径方向に変形する量を調べ、径方向の変形性とした。各ラックブーツの径方向の変形性を表すグラフを図８に示す。図８中縦軸は各ラックブーツに負荷した径方向の荷重（Ｎ）を示す。図８中横軸は、各ラックブーツが径方向に変形した量（ｍｍ）である。図８中横軸のうち、正の数はラックブーツが外周方向に伸びた量を示し、負の数はラックブーツが内周方向に圧縮された量を示す。
【００４９】
また、各ラックブーツに軸方向の荷重を負荷した際に、１単位の各ラックブーツが軸方向に伸びる量を調べ、軸方向の伸び性とした。各ラックブーツの軸方向の伸び性を表すグラフを図９に示す。図９中縦軸は各ラックブーツに負荷した軸方向の荷重（Ｎ）を示す。図９中横軸は、各ラックブーツの長さ（ｍｍ）である。軸方向の荷重を負荷しない各ラックブーツの長さは３０．０（ｍｍ）であり、図９中横軸の数値が３０．０を超えるとラックブーツが軸方向に伸びていることを示し、３０．０に満たないとラックブーツが軸方向に圧縮されていることを示す。
【００５０】
図８に示すように、実施例３のラックブーツは、比較例１のラックブーツに比べて、径方向に変形させるのに大きい荷重を要する。よって、実施例３のラックブーツは径方向に大きく変形し難い。
【００５１】
図９に示すように、実施例３のラックブーツは比較例１のラックブーツに比べて、軸方向に変形させるのに大きい荷重を要する。よって、実施例３のラックブーツは軸方向に大きく変形し難い。
【００５２】
本試験の結果から、本発明のラックブーツは、分断山部４０付近の蛇腹部が径方向に大きく変形し難いことがわかる。これは、径方向の大きな変形が分断山部４０で分断されることに由来すると考えられる。
【００５３】
また、本試験の結果から、本発明のラックブーツは分断山部４０付近の蛇腹部が軸方向にも大きく変形し難いことがわかる。これは、分断山部４０の隆起高さが一般山部４２よりも小さく、分断山部４０に連続する分断連結壁部が径方向に短くなっているため、分断連結壁部の揺動代が小さくなっていることに由来すると考えられる。なお、本変形試験は、分断山部４０を含む３山４谷部分を試験したものであるため、分断山部４０から離間した蛇腹部に関しては、軸方向に充分に変形すると考えられる。
【図面の簡単な説明】
【００５４】
【図１】実施例１のラックブーツを模式的に表す軸方向断面図である。
【図２】図１の要部拡大図である。
【図３】実施例２のラックブーツを模式的に表す軸方向断面図である。
【図４】実施例３のラックブーツを模式的に表す軸方向断面図である。
【図５】図４の要部拡大図である。
【図６】実施例４のラックブーツを軸方向に切断した様子を模式的に表す要部拡大図である。
【図７】比較例１のラックブーツを軸方向に切断した様子を模式的に表す要部拡大図である。
【図８】実施例３および比較例１のラックブーツの径方向の変形性を表すグラフである。
【図９】実施例３および比較例１のラックブーツの軸方向の伸び性を表すグラフである。
【図１０】一般的なラックブーツを模式的に表す軸方向断面図である。
【符号の説明】
【００５５】
１：蛇腹部  ２：第１筒部  ３：第２筒部  ４：山部  ５：谷部  ６：連絡壁部  ４０：分断山部
【図１】
2006281812.tif 000003
【図２】
2006281812.tif 000004
【図３】
2006281812.tif 000005
【図４】
2006281812.tif 000006
【図５】
2006281812.tif 000007
【図６】
2006281812.tif 000008
【図７】
2006281812.tif 000009
【図８】
2006281812.tif 000010
【図９】
2006281812.tif 000011
【図１０】
2006281812.tif 000012